(57)【要約】【課題】正確な光色を発し、輝度効果が向上する白色発光ダイオード及びその製造工程を提供する。      【解決手段】白色発光ダイオード及びその製造工程は、既定色の発光チップ底部に相対色の燐光剤を含む第一樹脂体を固定し、白色多波長発光ダイオードのチップ単体にする。第一樹脂体をチップ固定樹脂の部位として、チップ単体をキャリア上に定置し、金属線で構成する発光チップの回路と連結し、最後に相対色の燐光剤を含む第二樹脂体を注入して発光チップ最上部を覆う。【選択図】図３
2007088318.tif 000002
【特許請求の範囲】
【請求項１】
既定色の発行チップ底部に相対色の燐光剤を含む第一樹脂体を固定した一種のチップ単体において、
発光チップの光源がスムーズに第一樹脂体を通過し、その中の燐光剤の波長と結合して予定した白色光を発することを特徴とする白色発光ダイオードのチップ単体。
【請求項２】
一種のチップ単体は、既定色の発行チップ底部に相対色の燐光剤を含む第一樹脂体を固定し、更に発光チップの最上部に相対色の燐光剤を含む第二樹脂体を一層固定し、これらによって、発光チップの光源がスムーズに第一、第二樹脂体を通過し、中の燐光剤の波長と結合し、予定の白色を発することを特徴とする白色発光ダイオードのチップ単体。
【請求項３】
前記第一樹脂体は、底層に反射材を設置することを特徴とする請求項１もしくは２記載の白色発光ダイオードのチップ単体。
【請求項４】
白色多波長発光ダイオードは、既定色の発光チップ底部に相対色の燐光剤を含む第一樹脂体を一層固定し、第一樹脂体がチップ固定樹脂の部位となり、キャリア上に定置するチップ単体と、
相対色の燐光剤を含み、発光チップを覆う第二樹脂体を含むことを特徴とする白色多波長発光ダイオード。
【請求項５】
前記発光チップは、青色発光チップで、第一樹脂体内部に相対する赤色燐光剤を混入し、第二樹脂体内部に相対する緑色燐光剤を混入することを特徴とする請求項４記載の白色多波長発光ダイオード。
【請求項６】
前記発光チップは、近紫外光発光チップとし、第一樹脂体内部に相対する赤色燐光剤を混入し、第二樹脂体内部に相対する緑色燐光剤及び青色燐光剤を混入することを特徴とする請求項４記載の白色多波長発光ダイオード。
【請求項７】
白色多波長発光ダイオードの製造工程は、
a．       
既定光色の発光チップを用意し、
b．       
発光チップの底部に相対する色の燐光剤を含む第一樹脂体を一層固定してチップ単体を成形し、
c．       
チップ単体をチップ固定樹脂として、キャリア上に定置し、
d．       
キャリア内に相対する色の燐光剤を含む第二樹脂体を注入して発光チップを覆い、
e．       
焼成して完成する
ことを特徴とする白色多波長発光ダイオードの製造工程。
【請求項８】
白色多波長発光ダイオードの製造工程は、
a．  既定光色の発光チップを用意し、
b.  発光チップの底部に相対する色の燐光剤を含む第一樹脂体を一層固定し、発光チップの最上部に相対する色の燐光剤を含む第二樹脂体を一層固定してチップ単体を成形し、
c.     チップ単体をチップ固定樹脂として、キャリア上に定置し、
d.     焼成して完成する
ことを特徴とする白色発光ダイオードの製造工程。
【請求項９】
前記白色多波長発光ダイオードの製造工程は、青色発光チップを使用し、第一樹脂体内部に相対する赤色燐光剤を混入し、第二樹脂体内部に相対する緑色燐光剤を混入することを特徴とする請求項８もしくは９記載の白色多波長発光ダイオードの製造工程。
【請求項１０】
前記白色多波長発光ダイオードの製造工程は、近紫外光発光チップを使用し、第一樹脂体内部に相対する赤色燐光剤を混入し、第二樹脂体内部に相対する緑色燐光剤及び青色燐光剤を混入することを特徴とする請求項８もしくは９記載の白色発光ダイオード及びその製造工程。
【発明の詳細な説明】
【技術分野】
【０００１】
本発明は、白色発光ダイオード及びその製造工程に関するもので、正確な光色を発し、輝度効果が向上するものである。
【背景技術】
【０００２】
一般の発光ダイオードの基本構造は、関連の封鎖材(樹脂体)によって、発光チップを覆い、金属線で発光チップ電極と関連回路を連結し、発光チップの通電によって、発光チップが光源となる。この光源は覆った封鎖材によって外向きに照射し、発光チップの光源と封鎖材内の蛍光材の波長が結合し、予定の光色を形成する。
【０００３】
図１に示すのは、公知の一般的な白色発光ダイオードの構造である。この種の発光ダイオードは碗形状のキャリア１０を青色発光チップ２１の定置とし、封鎖材３０を納置する構造である。更に青色発光チップ２１とキャリア１０(もしくは類似の基板)の間にチップ固定樹脂４０を塗布し、青色チップ２１を定置させる。実施時、公知の白色発光ダイオードは、図に示すとおり、青色発光チップ２１の光源と封鎖材３０内の黄色燐光剤５１の波長が結合して白色光を発する。もしくは図２に示すとおり、青色発光チップ２１の光源と封鎖材３０中の赤色燐光剤５２及び緑色燐光剤５３が結合して白色光を発する。また別種の公知白色光の発光ダイオード構造も同様にチップ固定樹脂で青色発光チップを定置してキャリア内に納める。そして金属線で構成された青色発光チップと電極端子が連結し、蛍光体を含んだ蛍光樹脂によって青色発光チップを覆う。青色発光チップが通電すると、青色発光チップの光源が蛍光樹脂の蛍光体を励起して、予定の光色を発する。
【０００４】
このように、白色発光ダイオードが発する白色光は、特定色の発光チップとそれに相対する色の燐光剤(もしくは蛍光剤)の波長を合わせなければならない。しかしながら、図１に示すように、青色発光チップ２１の底部をチップ固定樹脂４０に埋め込む発光ダイオードの構造であるため、青色発光チップ２１底部がチップ固定樹脂４０に埋まる深さが各々異なり、その部位から発した光源はチップ固定樹脂４０内の光となり、蛍光励起の程度が一定できず、発光ダイオードの輝度及び色表現効果が落ちる。
【発明の開示】
【発明が解決しようとする課題】
【０００５】
解決しようとする問題点は、青色発光チップの底部がチップ固定樹脂に埋め込まれる構造であるため、色及び輝度効果が落ちる点である。
【課題を解決するための手段】
【０００６】
本発明は、既定色の発光チップ底部に相対色の燐光剤を含む第一樹脂体を固定し、白色多波長発光ダイオードのチップ単体にする。第一樹脂体をチップ固定樹脂の部位として、チップ単体をキャリア上に定置し、金属線で構成する発光チップの回路と連結し、最後に相対色の燐光剤を含む第二樹脂体を注入して発光チップ最上部を覆うことを最も主要な特徴とする。
【発明の効果】
【０００７】
本発明の白色発光ダイオード及びその製造工程は、正確な光色を発し、輝度効果が向上するという利点がある。
【発明を実施するための最良の形態】
【０００８】
図３に示すとおり、先ず既定光色の発光チップ２０底部に相対する色の燐光剤５０を含む第一樹脂体６１を固定する。この第一樹脂体６１は回転塗布もしくは焼結固化方式によって発光チップ２０底層に固定し、白色多波長発光ダイオードのチップ単体構造とする。
【０００９】
第一樹脂体がチップ固定樹脂となった部位を使って、このチップ単体をキャリア上に定置し、金属線で発光チップの回路と連結し、最後に相対する色の燐光剤を含む第二樹脂体を注入して、発光チップの最上部に被せる。これらによって、発光チップの光源はスムーズに第一、第二樹脂体を通過し、中の燐光剤の波長と結合し、予定の白色光を発する。
【００１０】
具体的な実施として、本発明の白色多波長は、少なくとも図４及び図５に示す第一種構造形態とする。また、図６に示すものを第二種構造形体とする。図４に示す第一種構造形態の第一実施例として、青色発光チップ２１底部に、相対する赤色燐光剤５２を含む第一樹脂体６１を固定し、白色多波長発光ダイオードのチップ単体を製造する。この第一樹脂体６１がチップ固定樹脂４０の部位となり、チップ単体をキャリア１０上に定置する。そして金属線７０で構成された青色発光チップ２１の回路を連結し、最後に相対する緑色燐光剤５３を含む第二樹脂体６２で青色発光チップ２１の最上部を覆う。
【００１１】
この他、図５に示す第一種構造形態の第二実施例として、近紫外光発光チップ２２底部に相対する赤色燐光剤５２を含む第一樹脂体６１を一層固定し、白色多波長発光ダイオードのチップ単体を製造し、この第一樹脂体６１をチップ固定樹脂４０の部位とし、チップ単体をキャリア１０上に定置し、金属線７０によって構成された近紫外光発光チップ２２の回路を連結し、最後に相対する緑色燐光剤５３及び青色燐光剤５４を含む第二樹脂体６２を注入して近紫外光発光チップ２２の最上部を覆う。
【００１２】
図４及び図５に示す第一種構造形態の白色多波長発光ダイオードの製造工程は、図８に示すとおりで、少なくとも下述の工程を含む。
a. 既定光色の発光チップを用意する。
b. 発光チップの底部に相対する色の燐光剤を含む第一樹脂体を一層固定してチップ単体を成形する。
c. チップ単体をチップ固定樹脂として、キャリア上に定置する。
d. キャリア内に相対する色の燐光剤を含む第二樹脂体を注入して発光チップを覆う。
e. 焼成して完成する。
【００１３】
更に図６に示すのは、第二種構造形態の白色多波長発光ダイオードで、青色発光チップ２１底部に相対する赤色燐光剤５２を含む第一樹脂体６１を一層固定する。そして青色発光チップ２１最上部には相対する緑色燐光剤５３を含む第二樹脂体６２を一層固定し、白色多波長発光ダイオードのチップ単体とする。第一樹脂体６１は、チップ固定樹脂４０の部位とし、チップ単体をキャリア１０上に定置する。そして金属線７０で構成する青色発光チップ２１の回路と連結する。
【００１４】
図６に示す第二種形態の白色多波長発光ダイオードの製造工程は、図９に示すとおりで、少なくとも下述の工程を含む。
a．  既定光色の発光チップを用意する。
b.  発光チップの底部に相対する色の燐光剤を含む第一樹脂体を一層固定し、発光チップの最上部に相対する色の燐光剤を含む第二樹脂体を一層固定してチップ単体を成形する。
c.  チップ単体をチップ固定樹脂として、キャリア上に定置する。
d.    焼成して完成する。
【００１５】
白色多波長発光ダイオードは上述の形態で第一種もしくは第二種の構造を形成する。実施時、光源を発する発光チップがチップ固定樹脂の妨げをまったく受けることなく、発光チップの光源は第一、第二樹脂体をスムーズに通過し、内部の燐光剤の波長と結合して予定の白色光を発し、輝度効果も有効に高める。図７に示すとおり、白色多波長発光ダイオードは、第一樹脂体６１の底層に反射材８０を設置して発光ダイオードの輝度効果を更に高めることができる。
【図面の簡単な説明】
【００１６】
【図１】公知の第一種白色発光ダイオードの構造断面図である。
【図２】公知の第二種白色発光ダイオードの構造断面図である。
【図３】本発明のチップ単体の外観構造図である。
【図４】本発明第一種構造形態の白色多波長発光ダイオード第一実施例の構造断面図である。
【図５】本発明第一種構造形態の白色多波長発光ダイオード第二実施例の構造断面図である。
【図６】本発明第二種構造形態の白色多波長発光ダイオードの構造断面図である。
【図７】本発明の別の実施例の白色多波長発光ダイオード構造断面図である。
【図８】本発明第一種構造形態の白色多波長発光ダイオード製造フローチャートである。
【図９】本発明第二種構造形態の白色多波長発光ダイオード製造フローチャートである。
【符号の説明】
【００１７】
１０        キャリア  
２０        発光チップ
２１        青色発光チップ
２２        近紫外光発光チップ
３０        封鎖材
４０        チップ固定樹脂
５０        燐光剤
５１        黄色燐光剤
５２        赤色燐光剤
５３        緑色燐光剤
５４        青色燐光剤
６１        第一樹脂体
６２        第二樹脂体
７０        金属線
８０        反射材
【図１】
2007088318.tif 000003
【図２】
2007088318.tif 000004
【図３】
2007088318.tif 000005
【図４】
2007088318.tif 000006
【図５】
2007088318.tif 000007
【図６】
2007088318.tif 000008
【図７】
2007088318.tif 000009
【図８】
2007088318.tif 000010
【図９】
2007088318.tif 000011